(57)【要約】      （修正有）【課題】操作スイッチのオンの操作にしたがい、駆動モータによって回転時にラインが巻き取られるスプールをワンタッチタイプで交換するためのスプール交換が容易な釣用電動リールを提供する。【解決手段】ラインが巻かれた複数のスプール１１を交換して使用することができるようにした釣用電動リールＡにおいて、駆動モーターと、前記駆動モーターを駆動させるための操作ボタン２６ａと、交換する前記スプール１１の入力情報及び前記ラインの放出された長さ情報を表示するためのディスプレイ部と、前記駆動モーターの駆動を制御するための制御部２６とが含まれるリール本体１０に対して、釣る魚種に応じて前記複数のスプール１１の何れか一つに交換できる交換手段が具備されることを特徴とする。【選択図】図２
2020000137.tif 000002
【特許請求の範囲】
【請求項１】
ラインが巻かれた複数のスプールを交換して使用できるようにした釣用電動リールにおいて、
駆動モーターと、前記駆動モーターを駆動させるための操作ボタンと、交換する前記スプールの入力情報及び前記ラインの放出された長さ情報を表示するためのディスプレイ部と、前記駆動モーターの駆動を制御するための制御部とが含まれるリール本体と、
釣る魚種に応じて前記複数のスプールの何れか一つを前記リール本体に交換できる交換手段とを具備することを特徴とする、スプール交換が容易な釣用電動リール。
【請求項２】
ラインが巻かれた複数のスプールを交換して使用できるようにした釣用電動リールにおいて、
駆動モーターと、前記駆動モーターを駆動させるための操作ボタンと、交換する前記スプールの入力情報及び前記ラインの放出された長さ情報を表示するためのディスプレイ部と、前記駆動モーターの駆動を制御するための制御部とが含まれるリール本体と、
前記リール本体に交換可能に内設され、前記駆動モーターの駆動によって回転時にラインが巻き取られるスプールと、
前記リール本体に内設される前記スプールを交換できるように前記リール本体の一側面の開口部に着脱可能に結合され、前記スプールの回転軸の一端を支持するサイドカバーとを具備することを特徴とする、スプール交換が容易な釣用電動リール。
【請求項３】
ラインが巻かれた複数のスプールを交換して使用できるようにした釣用電動リールにおいて、
駆動モーターと、前記駆動モーターを駆動させるための操作ボタンと、交換する前記スプールの入力情報及び前記ラインの放出された長さ情報を表示するためのディスプレイ部と、前記駆動モーターの駆動を制御するための制御部とが含まれるリール本体と、
前記リール本体に交換可能に内設され、前記駆動モーターの駆動によって回転時にラインが巻き取られるスプールと、
前記リール本体に内設される前記スプールを交換できるように前記リール本体の一側面の開口部に着脱可能に結合され、前記スプールの回転軸の一端を支持するサイドカバーと、
前記サイドカバーを成すカバーダイヤルと前記リール本体を成すパームサイドカバーに対応して形成され、前記リール本体に前記サイドカバーを着脱時にクリック音を発生させるクリック音発生手段とを具備することを特徴とする、スプール交換が容易な釣用電動リール。
【請求項４】
前記サイドカバーは、
前記回転軸の一端を回転可能に支持し、前記リール本体に前記サイドカバーを円周方向に回転させて結合する場合、離脱防止手段によって軸方向に離脱することを防止するスプールカバーと、
前記スプールカバーの外側面に固定し、前記リール本体の開口部に結合されるカバーダイヤルとを具備してなることを特徴とする、請求項２または３に記載のスプール交換が容易な釣用電動リール。
【請求項５】
前記離脱防止手段は、
前記スプールカバーの外周縁に等間隔に突出形成される係合突起と、
前記係合突起に対応して前記リール本体の任意の位置に形成される係止段、とを具備し、
前記リール本体の開口部に前記サイドカバーを結合させ、時計回りまたは半時計回りの方向に任意の角度だけ回転させる場合、前記係止段にロックまたはアンロックされる前記係合突起によって前記リール本体に対し、前記サイドカバーを着脱させることができることを特徴とする、請求項４に記載のスプール交換が容易な釣用電動リール。
【請求項６】
前記リール本体に前記サイドカバーを着脱時にクリック音を発生させ、前記リール本体に結合される前記サイドカバーが円周方向に回転することを防止するために、
前記リール本体のパームサイドカバーの内部の任意の位置に装着され、円周方向に結合溝が形成されるホルダーと、
前記結合溝に円周方向に移動可能に結合されるロックピンと、
前記結合溝に前記ロックピンを弾性支持する弾性部材と、
前記カバーダイヤルの内側面に隣接して形成される第１、２凹溝とを具備し、
前記リール本体に対し、前記サイドカバーを着脱させるために円周方向に回転させると、前記ロックピンが前記結合溝に円周方向に任意の距離分だけ移動し、前記第１凹溝または第２凹溝に結合されるか、または離脱時にクリック音を発生することを特徴とする、請求項３に記載のスプール交換が容易な釣用電動リール。
【請求項７】
前記駆動モーターの駆動による前記スプールの回転を感知することができるように、
前記スプールのフランジのうち、前記リール本体の内側に位置するフランジに装着される少なくとも一つ以上の磁性体と、
前記リール本体のＧ／Ｓカバーフレームの任意の位置に装着され、前記スプールの回転時に前記磁性体の磁力の強さにより前記スプールの回転を感知するための磁気センサーとを具備することを特徴とする、請求項２または３に記載のスプール交換が容易な釣用電動リール。
【発明の詳細な説明】
【技術分野】
【０００１】
本発明は、釣用電動リールに係り、より詳細には、駆動モーターの駆動時に回転するスプールにラインが自動的に巻き取られるようにした、スプール交換が容易な釣用電動リールに関するものである。
【背景技術】
【０００２】
一般的に、釣用リールは、使用者がスプールの軸上に結合された操作レバーを回転操作させることによって、ライン（釣り糸）がスプールに巻かれる手動リールと、リール本体の内部に設置されたスプール用駆動モーターによってスプールが回転しながら、ラインがスプールに自動的に巻かれる電動リールとに分類される。
【０００３】
釣用電動リールは、水深が深い場所で釣りをする場合のように、必然的に放出されるラインが長くなり、それゆえ手動操作だけでスプールにラインを巻くのに時間が多くかかる場合に主に使用されている。
【０００４】
釣用電動リールは、釣竿を舷側に取り付けられた竿受けに置いた状態で使用することがほとんどだが、近年、使用者が釣竿を手に持った状態で操作できるように、より小型化してコンパクトになった釣用電動リールが開発、使用されている。
【０００５】
また、電動リールの小型化によって、使用されるラインが細く且つ引張強度が向上することに伴い、従来に比べて同じ号数でもラインが細くなり、魚を釣る過程でラインがスプールの隙間に入り込んでもつれるという問題点が発生することがあった。
【０００６】
図面には示していないが、従来の大半の電動リールは、リール本体に対してスプールを交換させることができない構造になっている。このため、魚種に合わせて種類や太さが異なる号数のラインをスプールに巻こうとすると、スプールに巻かれているラインをすべて解いた後、使用しようとするラインをスプールに再び巻いて設定しなければならないという煩わしさと時間を多く所要するという問題点があった。特に、冬場に野外でリール本体からスプールを分離する作業が非常に困難であった。
【０００７】
一方、リール本体からスプールを交換させることができる構造からなる一部の電動リールの場合も、スプール内部に駆動モーターが設置されることで、駆動モーターに電源を供給するための電源供給装置及び制御用電線の配置により複雑な構造からなっている。また、スプール内に遊星歯車などが複雑に装着されており、釣り場で使用者が直接リール本体からスプールを容易に分離させることはできないため、実用性に劣るという問題点を有する。
【先行技術文献】
【特許文献】
【０００８】
【特許文献１】韓国特許登録第１０−１５９２５３２号公報
【発明の概要】
【発明が解決しようとする課題】
【０００９】
したがって、本発明は、電動リールの小型化によって細くなったラインが、魚を釣る過程でスプールの隙間に入り込んでもつれた場合、使用者が直接リール本体からスプールを容易に分離させてもつれたラインを解くことができるようにした、スプール交換が容易な釣用電動リールを提供することにその目的がある。
【００１０】
また、本発明は、太さ、種類（ナイロン、組み糸を言う)が異なる号数のラインが巻かれた複数のスプールのうち、魚種に合うスプールをリール本体に容易に交換して使用できるようにした、スプール交換が容易な釣用電動リールを提供する。
【００１１】
また、本発明は、スプールの回転を感知できる磁石及び磁気センサーをリール本体のフレームのＧ／Ｓカバー方向に位置移動させることによってサイドカバー部位を単純化させることができるようにした、スプール交換が容易な釣用電動リールを提供する。
【課題を解決するための手段】
【００１２】
上記の目的を達成するために、本発明の一実施形態によると、
ラインが巻かれた複数のスプールを交換して使用できるようにした釣用電動リールにおいて、
駆動モーターと、前記駆動モーターを駆動させるための操作ボタンと、交換する前記スプールの入力情報及び前記ラインの放出された長さ情報を表示するためのディスプレイ部と、前記駆動モーターの駆動を制御するための制御部とが含まれるリール本体と、
釣る魚種に応じて前記複数のスプールの何れか一つを前記リール本体に交換することができる交換手段とを具備することを特徴とする釣用電動リールを提供する。
【００１３】
上記の目的を達成するために、本発明の他の実施形態によると、
ラインが巻かれた複数のスプールを交換して使用できるようにした釣用電動リールにおいて、
駆動モーターと、前記駆動モーターを駆動させるための操作ボタンと、交換する前記スプールの入力情報及び前記ラインの放出された長さ情報を表示するためのディスプレイ部と、 前記駆動モーターの駆動を制御するための制御部とが含まれるリール本体と、
前記リール本体に交換可能に内設され、前記駆動モーターの駆動によって回転時にラインを巻き取るスプールと、
前記リール本体に内設される前記スプールを交換させることができるように前記リール本体の一側面の開口部に開閉可能に結合し、前記スプールの回転軸の一端を支持するサイドカバー、とを具備することを特徴とする釣用電動リールを提供する。
【００１４】
上記の目的を達成するために、本発明のさらに他の実施形態によると、
ラインが巻かれた複数のスプールを交換して使用できるようにした釣用電動リールにおいて、
駆動モーターと、前記駆動モーターを駆動させるための操作ボタンと、交換する前記スプールの入力情報及び前記ラインの放出された長さ情報を表示するためのディスプレイ部と、 前記駆動モーターの駆動を制御するための制御部とが含まれるリール本体と、
前記リール本体に交換可能に内設され、前記駆動モーターの駆動によって回転時にラインを巻き取るスプールと、
前記リール本体に内設される前記スプールを交換させることができるように前記リール本体の一側面の開口部に開閉可能に結合し、前記スプールの回転軸の一端を支持するサイドカバーと、
前記サイドカバーを成すカバーダイヤルと前記リール本体を成すパームサイドカバーに対応するように形成され、前記リール本体に前記サイドカバーを着脱時にクリック音を発生させるクリック音発生手段、とを具備することを特徴とするスプール交換が容易な釣用電動リールを提供する。
【発明の効果】
【００１５】
上述のように構成される本発明は、以下の利点を有する。
【００１６】
電動リールの小型化によって細くなったラインがスプールの隙間に入り込んでもつれると、使用者が直接リール本体からスプールをワンタッチタイプで容易に分離させて、もつれたライン（例えば、組み糸）を解くことによって、使用者に信頼性及び実用性を提供することができる。
【００１７】
また、太さ、種類が異なる号数のラインを予め巻いておいた複数のスプールを携帯することによって、魚種に合うラインが巻かれたスプールを容易に交換して使用することができ、使用者に利便性を提供することができる。
【００１８】
また、スプールの回転を感知できる磁石及び磁気センサーをリール本体のフレームのＧ／Ｓカバーの方向に位置移動させることによって、サイドカバーを成すカバーダイヤルの部位を単純化させ、これを製作する金型費用やコストを削減することができる。
【図面の簡単な説明】
【００１９】
【図１】本発明の一実施形態によるスプール交換が容易な釣用電動リールの斜視図である。
【図２】図１に示した電動リールの分離斜視図である。
【図３】図１に示した電動リールの要部を分離させた斜視図である。
【図４】図１に示した電動リールの部分切開断面図である。
【図５ａ】リール本体からサイドカバーのロック状態及びアンロック状態を説明するための図である。
【図５ｂ】リール本体からサイドカバーのロック状態及びアンロック状態を説明するための図である。
【発明を実施するための形態】
【００２０】
以下、添付の図面に基づき、本発明の好適な実施形態によるスプール交換が容易な釣用電動リールを詳細に説明する。
【００２１】
図１乃至図５ａ、ｂを参照すれば、本発明の一実施形態によるスプール交換が容易な釣用電動リールは、
号数が異なるライン（釣り糸）が巻かれた複数のスプールを交換して使用できるようにした釣用電動リールにおいて、
駆動モーター（図示せず）と、駆動モーターを駆動させるための操作ボタン２６ａと、交換するスプール１１の入力情報（スプールに巻かれる号数が異なるラインの種類によってスプール情報を予め入力)、及びライン（図示せず）の放出される長さ情報（魚種が生息する水深に合うように放出される長さを予め入力)を表示するためのディスプレイ部２６ａと、駆動モーターの駆動を制御するための制御部２６とが含まれるリール本体１０と、
釣る魚種に応じて複数のスプール１１の何れか一つをリール本体１０に交換できる交換手段とを具備する。
【００２２】
上述のように構成される本発明の一実施形態による釣用電動リールによれば、魚種に応じてスプール１１から放出され、設定された任意の水深まで到達するラインの長さを制御することができる。
【００２３】
つまり、魚種によって生息する水深が異なり、ラインの太さによってスプール１１に巻かれるラインの長さが異なる。
【００２４】
したがって、スプール１１の回転数を感知することにより、駆動モーターの駆動によって回転するスプール１１から放出され、任意の魚種が生息する予め設定された水深まで到達するラインの長さを制御することができる。
【００２５】
この時、異なる号数のラインが巻かれる複数のスプール１１の類型情報は、制御部２６に具備される操作ボタン２６ａを使用者が直接操作して手動で入力することができる。
【００２６】
上述のようにスプール１１の回転数を感知することにより、制御部２６に予め入力されたスプール１１の類型情報によってスプール１１から放出され、任意の魚種が生息する任意の水深まで到達するラインの長さを制御することができる。
【００２７】
図１乃至図５ａ、ｂを参照すれば、本発明の他の一実施形態によるスプール交換が容易な釣用電動リールは、
号数が異なるラインが巻かれた複数のスプールを交換して使用することができる釣用電動リールにおいて、
ラインを放出したり巻くために正回転(時計回りに回転)及び逆回転(反時計回りに回転)が可能な駆動モーター（図示せず）及び駆動モーターを駆動させるための操作ボタン２６ａと、交換するスプール１１の入力情報及びラインの放出される長さ情報を表示するためのディスプレイ部２６ａと、駆動モーターの駆動を制御するための制御部２６とが含まれるリール本体１０と、
リール本体１０に交換や回転可能に内設され、駆動モーターの駆動によって回転時にライン（図示せず）が巻き取られるスプール１１と、
リール本体１０に内設されるスプール１１を交換することができるように、リール本体１０の一側面の開口部に円周方向に任意の角度での回転によって開閉可能に結合され、スプール１１の回転軸１２の一端を回転可能に支持するサイドカバー１３とを具備する。
【００２８】
図１乃至図５ａ、ｂを参照すれば、本発明のさらに他の実施形態によるスプール交換が容易な釣用電動リールは、
ラインが巻かれた複数のスプールを交換して使用することができる釣用電動リールにおいて、
駆動モータ（図示せず）と、駆動モータを駆動させるための操作ボタン２６ａと、交換するスプール１１の入力情報及びラインの放出された長さ情報を表示するためのディスプレイ部２６ｂと、駆動モータの駆動を制御するための制御部２６とが含まれるリール本体１０と、
リール本体１０に交換可能に内設され、駆動モータの駆動によって回転時にラインが巻き取られるスプール１１と、
リール本体１０に内設されるスプール１１を交換することができるようにリール本体１０の一側面の開口部に着脱可能に結合され、スプール１１の回転軸１２の一端を支持するサイドカバー１３と、
リール本体１０の開口部に装着され、サイドカバー１３が着脱可能に結合されるパームサイドカバー（ｐａｌｍ  ｓｉｄｅ  ｃｏｖｅｒ）１８とを含み 、
リール本体１０に、サイドカバー１３を着脱時にサイドカバー１３のカバーダイヤル（ｃｏｖｅｒ  ｄｉａｌ）１７とパームサイドカバ１８に対応するように形成されたクリック音発生手段によってクリック音を発生させる。
【００２９】
さらに好ましくは、サイドカバー１３は、
回転軸１２の一端を回転可能に支持し、サイドカバー１３をリール本体１０に円周方向に回転して結合させると、離脱防止手段によって軸方向に離脱することを防止するスプールカバー（ｓｐｏｏｌ  ｃｏｖｅｒ）１６と、
スプールカバー１６の外側面に固定され、リール本体１０の開口部に結合されるカバーダイヤル１７とを具備する。
【００３０】
上述した離脱防止手段は、
スプールカバー１６の外周縁に等間隔に突出形成される係合突起１５と、
係合突起１５に対応するようにリール本体１０の任意の位置に形成される係止段１４を具備し、
リール本体１０の開口部にサイドカバー１３を結合させて時計回りまたは半時計回りの方向に任意の角度だけ回転させると、係止段１４にロックまたはアンロックされる係合突起１５によってリール本体１０に対してサイドカバー１３を着脱させることができる。
【００３１】
上述したリール本体１０にサイドカバー１３を着脱時にクリック音を発生させ、リール本体１０に結合されるサイドカバー１３が円周方向に回転することを防止するため、
リール本体１０のパームサイドカバー１８の内部の任意の位置に装着され、円周方向に結合溝２４ａ及び係止段２４ｂが形成されるホルダー２４と、
結合溝２４ａに円周方向に移動可能に結合されるロックピン１９と、
結合溝２４ａにロックピン１９を弾性支持する弾性部材２５（一例として、圧縮コイルばねを使用）と、
カバーダイヤル１７の内側面に隣接して形成される第１、２の凹溝２０、２０ａを具備し、
リール本体１０に対してサイドカバー１３を着脱させるために、円周方向に回転させると、ロックピン１９が結合溝２４ａに円周方向に任意の距離分移動し、第１凹溝２０または第２凹溝２０ａに結合、または離脱時にクリック音を発生することになる。
【００３２】
上述した駆動モーターの駆動によるスプール１１の回転を感知できるように、
スプール１１のフランジ１１ａ、１１ｂのうち、リール本体１０の内側に位置するフランジ１１ｂに装着される少なくとも一つ以上の磁性体２１と、
リール本体１０のＧ／Ｓカバー２２の任意の位置に装着され、スプール１１の回転時に磁性体２１の磁力の強さによってスプール１１の回転を感知するための磁気センサー２３とを具備することができる。
【００３３】
図中、説明していない符号２６は、リール本体１０の外側面に装着され、操作ボタン２６ａの操作によって釣り環境に関する各種情報を変更することができ、一例として、スプール１１から放出されたラインの長さ情報、駆動モーター出力の可変範囲を変更する出力範囲設定情報、または水の中に投入した装置を希望する水深で停止させる水深情報などをディスプレイ部２６ｂに数字または文字を画像で表示するための制御部であり、符号２７は、駆動モーターに電源を供給するためのものであって、着脱可能な携帯バッテリーを装着したり、または使用者の足の下に置いたバッテリーや釣り船に設置されている電源部から電源を供給するための電源供給部である。
【００３４】
以下、本発明の他の実施形態によるスプール交換が容易な釣用電動リールの使用例を添付の図面に基づいて詳細に説明する。
【００３５】
図４に示すように、ハンドル３１の回転力がスプール１１に伝達されるためのオン状態、またはハンドル３１の回転力がスプール１１に伝達されないようにするオフ状態を選択的に調整するためのクラッチ機構（図示せず）と、スプール１１にラインを均一に巻き取るためのレベルワインド機構３３と、ハンドル軸３０に設置されるドラグワッシャとメインギアとの密着力を調整することによって、スプール１１にラインを巻き取るドラグ力をセッティングするためのスタードラグ３４と、ハンドル軸３０の外側端に連結されるハンドル３１及びハンドル３１の外側端に連結されるハンドルノブ３２と、操作ボタン２６ａによって、釣り支度に関する各種情報をディスプレイできるディスプレイ部２６ｂを有する制御部２６とを具備する電動リールＡは、本発明が属する技術分野で使用される技術内容と実質的に同じであるため、これらの構成についての詳細な説明は省略する。
【００３６】
図１乃至図５ａ、ｂに示すように、スプール１１をパームサイドカバー１８の開口部を通過させてリール本体１０に結合するが、スプール１１のフランジ１１ａ、１１ｂのうち、一側のフランジ１１ｂがリール本体１０の内側に位置するように結合させた後、スプール１１の他側のフランジ１１ａをスプールカバー１６によって回転可能に支持する。
【００３７】
この時、図５ａに示すように、サイドカバー１３をリール本体１０に対し、時計回りに任意の角度だけ回転させると、サイドカバー１３を成すスプールカバー１６の外側面に突出形成された係合突起１５がこれに対応してリール本体１０の内側面に階段形態に形成された係止段１４に係止することになる。
【００３８】
これにより、リール本体１０に結合されるスプール１１をサイドカバー１３のスプールカバー１６によって回転可能に支持することができ、これと同時にリール本体１０にサイドカバー１３を着脱可能に結合させると、係合突起１５と係止段１４の係合構造によりサイドカバー１３がリール本体１０から軸方向に離脱することを防止することができる。
【００３９】
この時、サイドカバー１３を成すカバーダイヤル１７の外周縁に形成された第１凹溝２０または第２凹溝２０ａによってパームサイドカバー１８に形成されたホルダー２４の結合溝２４ａに円周方向に移動可能に結合されたロックピン１９を加圧することになる。
【００４０】
つまり、スプール１１を回転可能に支持するサイドカバー１３をリール本体１０に着脱可能に結合させ、第１凹溝２０または第２凹溝２０ａによってロックピン１９が加圧されると、弾性部材２５は圧縮力を受けることになる。
【００４１】
したがって、電動リールＡの底面に一体型に形成されたリールフット設置部ａを釣竿（図示せず）に固定させた後、スプール１１からラインを放出して魚を釣ると、スプール１１に巻き取られたラインを放出したり、スプール１１に巻く過程でスプール１１の隙間にラインが入り込んでもつれることがある。
【００４２】
一方、リール本体１０に内設された駆動モーター（図示せず）によってスプール１１を回転させてラインをスプール１１に巻き取らせる構成は、当該分野で使用される技術内容であることから、これらの構成に対する詳細な説明は省略する。
【００４３】
この時、使用者が、サイドカバー１３を把持して円周方向に任意の角度だけ回転させることによって、リール本体１０からワンタッチタイプでサイドカバー１３を容易に分離させることができる。
【００４４】
これについて詳細に説明すると、図５ｂに示すように、リール本体１０の一側面に装着されるサイドカバー１３を成すカバーダイヤル１７を把持して半時計回りに任意の角度だけ回転させると、サイドカバー１３を成すカバーダイヤル１７の内側面に固定されたスプールカバー１６の外周縁に等間隔に突出形成された係合突起１５（一例として、４つの係合突起を形成）がこれに対応してリール本体１０の内側面に形成された係止段１４から離脱する。
【００４５】
これにより、サイドカバー１３をリール本体１０から分離させることができるようになる。したがってサイドカバー１３をリール本体１０から分離させた状態で、リール本体１０に回転可能に結合されたスプール１１をリール本体１０から離脱させることができる。
【００４６】
上述のように魚を釣る過程で、号数及び太さが細くなったラインがスプール１１の隙間に入り込んでもつれた場合にも、リール本体１０の側面に着脱可能に結合されたサイドカバー１３を把持して円周方向に任意の角度だけ回転させることにより、ワンタッチタイプでリール本体１０から容易に分離させることができる。
【００４７】
一方、リール本体１０からスプール１１を分離させると、パームサイドカバー１８とカバーダイヤル１７に対応するように形成されたクリック音発生手段によってクリック音を確認できるようになる。
【００４８】
これを詳細に説明すると、スプールカバー１６の係合突起１５をこれに対応してリール本体１０の内側面に形成された係止段１４から離脱させて、サイドカバー１３をリール本体１０から分離させると、パームサイドカバー１８に形成されたホルダー２４の結合溝２４ａに結合されたロックピン１９を加圧しているカバーダイヤル１７に形成された第１凹溝２０の加圧力が解除される。
【００４９】
これにより、サイドカバー１３をリール本体１０に結合時にロックピン１９によって加圧された状態を維持する弾性部材２５（圧縮コイルばねが使用される）が弾性復元力によりロックピン１９を結合溝２４ａ内で初期の位置に移動させることになる。この時、ロックピン１９のフランジがホルダー２４の係止段２４ｂに係ってホルダー２４からロックピン１９は離脱しないようになる。
【００５０】
したがって、リール本体１０からサイドカバー１３を分離させる場合、カバーダイヤル１７の外周縁に形成された第１凹溝２０がこれに対応してパームサイドカバー１８に形成されたロックピン１９から離脱すると、クリック音を発生することになる。
【００５１】
一方、リール本体１０に内設された駆動モーターの駆動によるスプール１１の回転を感知するために、スプール１１のフランジ１１ａ、１１ｂのうち、リール本体１０の内側に位置するフランジ１１ｂに磁性体２１を装着して、スプール１１の回転時に磁性体２１の磁力の強さによってスプール１１の回転を感知するための磁気センサー２３をリール本体１０のＧ／Ｓカバー２２の任意の位置に装着させる。
【００５２】
上述したようにスプール１１の磁性体２１を感知してスプール１１の回転を感知するための磁気センサー２３をリール本体１０のＧ／Ｓカバー２２に装着させることによって、サイドカバー１３を成すカバーダイヤル１７部位を単純化させ、これを製作する金型費用を削減することによって、コストの低減を図ることができる。
【００５３】
ここで、上述した本発明では好適な実施形態を参照して説明したが、当該技術分野において熟練された当業者は、下記の請求範囲に記載された本発明の思想及び領域から外れない範囲内で、本発明の内容を多様に修正及び変更できることが理解できるはずである。
【符号の説明】
【００５４】
１０  リール本体
１１  スプール
１２  回転軸
１３  サイドカバー
１４  係止段
１５  係合突起
１６  スプールカバー
１７  カバーダイヤル
１８  パームサイドカバー
１９  ロックピン
２０  凹溝
２１  磁性体
２２  Ｇ／Ｓカバー
２３  磁気センサー
２４  ホルダー
２５  弾性部材
２６  制御部
【図１】
2020000137.tif 000003
【図２】
2020000137.tif 000004
【図３】
2020000137.tif 000005
【図４】
2020000137.tif 000006
【図５ａ】
2020000137.tif 000007
【図５ｂ】
2020000137.tif 000008
【手続補正書】
【提出日】令和1年10月23日(2019.10.23)
【手続補正１】
【補正対象書類名】特許請求の範囲
【補正対象項目名】全文
【補正方法】変更
【補正の内容】
【特許請求の範囲】
【請求項１】
ラインが巻かれた複数のスプールを交換して使用できるようにした釣用電動リールにおいて、
駆動モーターと、前記駆動モーターを駆動させるための操作ボタンと、交換する前記スプールの入力情報及び前記ラインの放出された長さ情報を表示するためのディスプレイ部と、前記駆動モーターの駆動を制御するための制御部とが含まれるリール本体と、
前記リール本体に交換可能に内設され、前記駆動モーターの駆動によって回転時にラインが巻き取られるスプールと、
釣る魚種に応じて前記複数のスプールの何れか一つを前記リール本体に交換できる交換手段としてのサイドカバーであって、前記リール本体の一側面の開口部に着脱可能に結合され、前記スプールの回転軸の一端を支持するサイドカバーと、
を備えたスプール交換が容易な釣用電動リールであって、
前記サイドカバーは、
前記回転軸の一端を回転可能に支持し、前記リール本体に前記サイドカバーを円周方向に回転させて結合する場合、離脱防止手段によって軸方向に離脱することを防止するスプールカバーと、
前記スプールカバーの外側面に固定し、前記リール本体の開口部に結合されるカバーダイヤルとを具備し、
前記離脱防止手段は、
前記スプールカバーの外周縁に等間隔に突出形成される係合突起と、
前記係合突起に対応して前記リール本体の任意の位置に形成される係止段、とを具備し、
前記リール本体の開口部に前記サイドカバーを結合させ、時計回りまたは半時計回りの方向に任意の角度だけ回転させる場合、前記係止段にロックまたはアンロックされる前記係合突起によって前記リール本体に対し、前記サイドカバーを着脱させることができ、
前記リール本体に前記サイドカバーを着脱時にクリック音を発生させ、前記リール本体に結合される前記サイドカバーが円周方向に回転することを防止するために、
前記リール本体のパームサイドカバーの内部の任意の位置に装着され、円周方向に結合溝が形成されるホルダーと、
前記結合溝に円周方向に移動可能に結合されるロックピンと、
前記結合溝に前記ロックピンを弾性支持する弾性部材と、
前記カバーダイヤルの内側面に隣接して形成される第１、２凹溝とを具備し、
前記リール本体に対し、前記サイドカバーを着脱させるために円周方向に回転させると、前記ロックピンが前記結合溝に円周方向に任意の距離分だけ移動し、前記第１凹溝または第２凹溝に結合されるか、または離脱時にクリック音を発生する、
スプール交換が容易な釣用電動リール。
【請求項２】
前記駆動モーターの駆動による前記スプールの回転を感知することができるように、
前記スプールのフランジのうち、前記リール本体の内側に位置するフランジに装着される少なくとも一つ以上の磁性体と、
前記リール本体のＧ／Ｓカバーフレームの任意の位置に装着され、前記スプールの回転時に前記磁性体の磁力の強さにより前記スプールの回転を感知するための磁気センサーとを具備する、
請求項１に記載のスプール交換が容易な釣用電動リール。